【手続補正書】
【提出日】平成17年7月6日(2005.7.6)
【手続補正１】
【補正対象書類名】特許請求の範囲
【補正対象項目名】全文
【補正方法】変更
【補正の内容】
【特許請求の範囲】
【請求項１】
組織における、伝導特性、電気的接続特性および伝播特性を改変するためのデバイスであって、該デバイスは、以下：
生体適合性材料からなる構造プラットフォーム
を備え、
該プラットフォームが標的組織部位の形状に対して適合可能であり；
該プラットフォームが該標的組織における線維性応答を誘導するような大きさおよび形状である処置コンポーネントを有し、そして、
該処置コンポーネントが該不整脈を実質的に取り除くために十分な線維性の応答を生じるように配置されている、
デバイス。
【請求項２】
前記プラットフォームが前記標的組織に圧力をかけて多くても最小のギャップにしておく、請求項１に記載のデバイス。
【請求項３】
前記構造プラットフォームが移植可能な肺静脈支持構造である、請求項１に記載のデバイス。
【請求項４】
前記処置コンポーネントが前記肺静脈支持構造の外表面に固定された尖端構造を備える、請求項３に記載のデバイス。
【請求項５】
前記構造プラットフォームが肺静脈ステントである、請求項３に記載のデバイス。
【請求項６】
前記構造プラットフォームが冠状静脈洞ステントである、請求項３に記載のデバイス。
【請求項７】
前記構造プラットフォームが心静脈ステントである、請求項３に記載のデバイス。
【請求項８】
前記構造プラットフォームが動脈組織ステントである、請求項３に記載のデバイス。
【請求項９】
前記構造プラットフォームが肺動脈ステントである、請求項３に記載のデバイス。
【請求項１０】
前記構造プラットフォームが移植可能な冠状静脈洞支持構造である、請求項１に記載のデバイス。
【請求項１１】
前記構造プラットフォームが移植可能な心静脈支持構造である、請求項１に記載のデバイス。
【請求項１２】
前記構造プラットフォームが移植可能な動脈支持構造である、請求項１に記載のデバイス。
【請求項１３】
前記構造プラットフォームが移植可能な肺動脈支持構造である、請求項１に記載のデバイス。
【請求項１４】
前記構造プラットフォームが肺静脈の実質的な内部形状に適応可能である、請求項１に記載のデバイス。
【請求項１５】
前記処置コンポーネントが治療物質を含む、請求項１に記載のデバイス。
【請求項１６】
前記処置コンポーネントが複数の尖端構造を含む、請求項１５に記載のデバイス。
【請求項１７】
器官の標的組織部位における組織を改変するデバイスであって、該デバイスは、以下：
少なくとも１つの展開プラットフォームを備え、
該展開プラットフォームが該標的組織部位における材料組織応答を誘導するように配置された処置コンポーネントを備え、そして
該処置コンポーネントが該器官に関する所望の治療目的を達成するために該器官の局所的な生理学的特性を改変するのに十分な材料組織応答を誘導するように配置されている、
デバイス。
【請求項１８】
前記器官が心臓および関連する心肺血管を含む、請求項１７に記載のデバイス。
【請求項１９】
前記組織部位が肺静脈に関連する組織を含む、請求項１８に記載のデバイス。
【請求項２０】
前記組織が肺口部を含む組織を含む、請求項１９に記載のデバイス。
【請求項２１】
前記治療目的が前記標的組織の電気的分離である、請求項１８に記載のデバイス。
【請求項２２】
前記器官が腹大動脈を含む、請求項１７に記載のデバイス。
【請求項２３】
前記治療目的が、動脈瘤部位における前記器官の構造整合性の増大を含む、請求項２２に記載のデバイス。
【請求項２４】
前記材料組織応答が線維性応答である、請求項２３に記載のデバイス。
【請求項２５】
前記治療目的が、前記標的組織部位における前記組織の弾性を増大する、請求項２２に記載のデバイス。
【請求項２６】
前記展開プラットフォームが体腔支持構造である、請求項１７に記載のデバイス。
【請求項２７】
前記体腔支持構造がステント様構造である、請求項２６に記載のデバイス。
【請求項２８】
前記体腔支持構造が肺静脈への配置のための大きさおよび形状である、請求項１８に記載のデバイス。
【請求項２９】
前記体腔支持構造が腹大動脈への配置のための大きさおよび形状である、請求項１７に記載のデバイス。
【請求項３０】
前記展開プラットフォームが身体器官の外表面における配置のための大きさおよび形状である、請求項１７に記載のデバイス。
【請求項３１】
前記展開プラットフォームが肺静脈の外表面における配置のための大きさおよび形状である、請求項３０に記載のデバイス。
【請求項３２】
前記処置コンポーネントが機械的バーブを備える、請求項２７に記載のデバイス。
【請求項３３】
前記処置コンポーネントが前記ステント様構造における化学コーティングを備える、請求項２７に記載のデバイス。
【請求項３４】
組織における、伝導特性、電気的接続特性および伝播特性を改変するためのデバイスであって、該デバイスは、以下：
生体適合性材料からなる構造プラットフォームを備え；該プラットフォームが標的組織部位の形状に対して適合可能であり；
該プラットフォームが該標的組織における線維性応答を誘導するような大きさおよび形状である処置コンポーネントを有し；
該処置コンポーネントが該標的組織の環形領域における配置および該領域との接触のためのリング部分を備え、そして、
該処置コンポーネントが該不整脈を実質的に取り除くために十分な線維性の応答を生じるように配置されている、
デバイス。
【請求項３５】
組織における、伝導特性、電気的接続特性および伝播特性を改変するためのデバイスであって、該デバイスは、以下：
生体適合性材料からなる構造プラットフォームを備え；該プラットフォームが標的組織部位の形状に対して適合可能であり；
該プラットフォームが該標的組織における線維性応答を誘導するような大きさおよび形状である処置コンポーネントを有し；
該処置コンポーネントが該標的組織における局在化位置に圧力を付与するための高剪断圧力要素を備え、そして、
該処置コンポーネントが該不整脈を実質的に取り除くために十分な線維性の応答を生じるように配置されている、
デバイス。
【請求項３６】
組織における、伝導特性、電気的接続特性および伝播特性を改変するためのデバイスであって、該デバイスは、以下：
生体適合性材料からなる構造プラットフォームを備え；該プラットフォームが標的組織部位の形状に対して適合可能であり；
該プラットフォームが該標的組織における線維性応答を誘導するような大きさおよび形状である処置コンポーネントを有し；
該処置コンポーネントが該標的組織の壁内に制御された張力を付与するための要素を備え、そして、
該処置コンポーネントが該不整脈を実質的に取り除くために十分な線維性の応答を生じるように配置されている、
デバイス。
【請求項３７】
組織における、伝導特性、電気的接続特性および伝播特性を改変するためのデバイスであって、該デバイスは、以下：
生体適合性材料からなる構造プラットフォームを備え；該プラットフォームが標的組織部位の形状に対して適合可能であり；
該プラットフォームが該標的組織における線維性応答を誘導するような大きさおよび形状である処置コンポーネントを有し；
該処置コンポーネントが該処置コンポーネントの他のセグメントと比較して増加した構造整合性のセグメントを備え；そして
該処置コンポーネントが該不整脈を実質的に取り除くために十分な線維性の応答を生じるように配置されている、
デバイス。